(57)【要約】【課題】テレビ放送受信装置において、簡単な操作によって天気予報を知ることができるようにする。【解決手段】テレビ放送受信装置は、リモコンによりテレビ放送の番組選局操作がなされると（＃１でＹＥＳ）、地上波デジタル放送信号を受信して（＃２）、選局されたテレビ放送の番組の映像及び音声をディスプレイ及びスピーカで再生する。また、地上波デジタル放送信号の受信中に地上波デジタル放送信号に含まれるデータ放送のデータを受信すると（＃３でＹＥＳ）、そのデータ放送のデータの中から天気予報データを抽出して、その天気予報データをメモリに記憶する（＃４）。そして、リモコンの天気予報ボタンが押下されると（＃５でＹＥＳ）、メモリに記憶している天気予報データを基に、データ放送の天気予報をスピーカから音声出力する（＃６）。【選択図】図３
2007324750.tif 000002
【特許請求の範囲】
【請求項１】
放送局から配信される放送信号を受信するチューナと、前記チューナにより受信した放送信号から、テレビ放送の映像信号、テレビ放送の音声信号、及びデータ放送のデータを分離するフィルタと、前記フィルタにより分離されたテレビ放送の映像信号を基に、テレビ放送による映像をディスプレイで表示するための信号を生成する映像デコーダと、前記フィルタにより分離されたテレビ放送の音声信号を基に、テレビ放送による音声をスピーカで出力するための信号を生成する音声デコーダと、前記フィルタにより分離されたデータ放送のデータを基に、データ放送によるデータコンテンツをディスプレイで表示するための信号を生成するデータ放送ブラウザと、テレビ放送による映像とデータ放送によるデータコンテンツの映像を選択的に又は合成して前記ディスプレイで表示するために、前記映像デコーダにより生成された信号及び前記データ放送ブラウザにより生成された信号を処理する映像出力処理手段と、ユーザの居住地域を示す居住地域データ、及び前記フィルタにより分離されたデータ放送のデータを記憶するためのメモリと、本装置の動作を指示するためにユーザにより操作される操作手段と、本装置の動作を制御する制御手段とを備えるテレビ放送受信装置において、
データ放送のデータに含まれる文字データを音声データに変換することにより、該データ放送によるデータコンテンツを前記スピーカで音声出力するための信号を生成する音声生成手段と、
テレビ放送による音声とデータ放送によるデータコンテンツの音声を選択的に又は合成して前記スピーカから出力するために、前記音声デコーダにより生成された信号及び前記音声生成手段により生成された信号を処理する音声出力処理手段とをさらに備え、
前記操作手段は、天気予報を聴くために押下操作される天気予報ボタンを有し、
前記制御手段は、
前記チューナによる放送信号の受信中に、前記フィルタにより分離されたデータ放送のデータの中から、前記メモリに記憶されている居住地域データが示す地域の天気予報データを抽出して、その天気予報データを前記メモリに記憶する天気予報データ取得手段と、
前記操作手段の天気予報ボタンが押下操作されたとき、前記メモリに記憶されている天気予報データを前記音声生成手段に供給し、この天気予報データを前記スピーカで音声出力するための信号を前記音声生成手段によって生成することにより、天気予報を前記スピーカから音声出力する天気予報音声出力手段と、
天気予報を音声出力しているとき、前記映像デコーダ、データ放送ブラウザ、及び映像出力処理手段を制御して、テレビ放送の映像を天気予報を音声出力する以前と同様に前記ディスプレイに表示する表示制御手段と、
天気予報を音声出力しているとき、前記音声デコーダ、音声生成手段、及び音声出力処理手段を制御して、テレビ放送の音声の音量を天気予報を音声出力する以前の音量よりも小さくして前記スピーカから出力する音声出力制御手段とを有する、
ことを特徴とするテレビ放送受信装置。
【請求項２】
放送局から配信される放送信号を受信するチューナと、前記チューナにより受信した放送信号に含まれるテレビ放送の映像信号を基に、テレビ放送による映像をディスプレイで表示するための信号を生成する映像デコーダと、前記チューナにより受信した放送信号に含まれるテレビ放送の音声信号を基に、テレビ放送による音声をスピーカで出力するための信号を生成する音声デコーダと、本装置の動作を指示するためにユーザにより操作される操作手段と、本装置の動作を制御する制御手段とを備えるテレビ放送受信装置において、
天気予報を前記ディスプレイに表示するためのデータとして配信される天気予報データを取得する天気予報データ取得手段と、
前記天気予報データ取得手段により取得した天気予報データを基に、該天気予報データによる天気予報を前記スピーカで音声出力するための信号を生成する音声生成手段とをさらに備え、
前記操作手段は、天気予報を聴くために操作される天気予報ボタンを有し、
前記制御手段は、前記操作手段の天気予報ボタンが操作されたとき、前記天気予報データ取得手段により取得した天気予報データを前記スピーカで音声出力するための信号を前記音声生成手段によって生成することにより、天気予報を前記スピーカから音声出力する、
ことを特徴とするテレビ放送受信装置。
【請求項３】
テレビ放送による音声と天気予報データによる天気予報の音声を選択的に又は合成して前記スピーカから出力するために、前記音声デコーダにより生成された信号及び前記音声生成手段により生成された信号を処理する音声出力処理手段をさらに備え、
前記制御手段は、天気予報を音声出力しているとき、前記音声デコーダ、音声生成手段、及び音声出力処理手段を制御して、テレビ放送の音声の音量を天気予報を音声出力する以前の音量よりも小さくして前記スピーカから出力する、
ことを特徴とする請求項２に記載のテレビ放送受信装置。
【発明の詳細な説明】
【技術分野】
【０００１】
本発明は、放送局から配信されるテレビ放送信号を受信して、テレビ放送による映像、音声を再生するためのテレビ放送受信装置に関するものである。
【背景技術】
【０００２】
従来より、テレビ放送受信装置において、放送局から配信される地上波デジタル放送信号を受信し、その放送信号に含まれるテレビ放送の映像信号及び音声信号を基に、テレビ放送による映像及び音声をディスプレイ及びスピーカで再生するものがある。このようなテレビ放送受信装置は、テレビ放送による映像及び音声に加え、地上波デジタル放送信号に含まれるデータ放送のデータを基に、データ放送による天気予報やニュースなどのデータコンテンツをディスプレイで表示できるようになっている。
【０００３】
従来のテレビ放送受信装置は、図４に示すように動作して、データ放送の天気予報をディスプレイに表示するようになっている。すなわち、従来のテレビ放送受信装置は、操作手段であるリモコンによりテレビ放送の番組選局操作がなされると（＃４１でＹＥＳ）、その番組の放送信号を受信し（＃４２）、放送信号の受信中にデータ放送のデータを受信すると（＃４３でＹＥＳ）、そのデータ放送のデータの中から天気予報データを抽出して、その天気予報データを記憶する（＃４４）。そして、リモコンのデータボタンが押下されると（＃４５でＹＥＳ）、データ放送のメニュー画面（例えば視聴可能なデータコンテンツ（天気予報、ニュース、・・・）の一覧等から成る画面）をディスプレイに表示し（＃４６）、続いて、リモコンのカーソルボタンの操作及び決定ボタンの押下によりメニュー画面の中から天気予報が選択されると（＃４７でＹＥＳ）、先に記憶していた天気予報データを基に天気予報をディスプレイに表示する（＃４８）。その後、リモコンのデータボタンが押下されると（＃４９でＹＥＳ）、天気予報の表示を終了する（＃５０）。従来のテレビ放送受信装置は、このようにしてデータ放送の天気予報を表示するようになっている。
【０００４】
また、リモコンの特定のキーとデータ放送のコンテンツとを例えば「青キー：気象情報」のように予め対応付けておき、リモコンの特定のキーを押下することにより、そのキーに対応付けられたコンテンツを選択（青キーが押下されるとデータ放送の中の気象情報を選択）するようにしたテレビ放送受信装置が知られている（例えば、特許文献１参照）。また、ニュースや天気予報といった特定の番組を毎回自動的に録画し、視聴ボタンを押すことにより、直近に録画した番組を再生するようにしたテレビ放送受信装置が知られている（例えば、特許文献２参照）。また、天気予報を選択するためのキーを設け、このキーを操作することにより、文字放送による天気予報をディプレイに表示するようにしたテレビ放送受信装置が知られている（例えば、特許文献３参照）。
【特許文献１】特開２００５−２５２３１６号公報
【特許文献２】特開平８−６５５８８号公報
【特許文献３】実開昭５８−１７８７７２号公報
【発明の開示】
【発明が解決しようとする課題】
【０００５】
ところで、上述した従来のテレビ放送受信装置においては、データ放送の天気予報をディスプレイに表示させるには、データボタンを押下してデータ放送のメニュー画面をディスプレイに表示させ、さらに、カーソルボタンを操作すると共に決定ボタンを押下してメニュー画面の中から天気予報を選択しなければならならず、天気予報を表示させるまでに複雑な操作が必要とされ、また、天気予報を表示させるまでに時間を要するものとなっていた。しかも、データ放送の天気予報は、ディスプレイに表示されるだけであり、音声出力されないため、利便性が悪かった。なお、上述した特許文献１乃至特許文献３に開示の内容を適用したとしても、上記の課題を解決することはできない。
【０００６】
本発明は、上記課題を解決するためになされたものであり、データ放送の天気予報を、簡単な操作によって、しかも音声によって知ることができるテレビ放送受信装置を提供することを目的とする。
【課題を解決するための手段】
【０００７】
上記目的を達成するために請求項１の発明は、放送局から配信される放送信号を受信するチューナと、チューナにより受信した放送信号から、テレビ放送の映像信号、テレビ放送の音声信号、及びデータ放送のデータを分離するフィルタと、フィルタにより分離されたテレビ放送の映像信号を基に、テレビ放送による映像をディスプレイで表示するための信号を生成する映像デコーダと、フィルタにより分離されたテレビ放送の音声信号を基に、テレビ放送による音声をスピーカで出力するための信号を生成する音声デコーダと、フィルタにより分離されたデータ放送のデータを基に、データ放送によるデータコンテンツをディスプレイで表示するための信号を生成するデータ放送ブラウザと、テレビ放送による映像とデータ放送によるデータコンテンツの映像を選択的に又は合成してディスプレイで表示するために、映像デコーダにより生成された信号及びデータ放送ブラウザにより生成された信号を処理する映像出力処理手段と、ユーザの居住地域を示す居住地域データ、及びフィルタにより分離されたデータ放送のデータを記憶するためのメモリと、本装置の動作を指示するためにユーザにより操作される操作手段と、本装置の動作を制御する制御手段とを備えるテレビ放送受信装置において、データ放送のデータに含まれる文字データを音声データに変換することにより、該データ放送によるデータコンテンツをスピーカで音声出力するための信号を生成する音声生成手段と、テレビ放送による音声とデータ放送によるデータコンテンツの音声を選択的に又は合成してスピーカから出力するために、音声デコーダにより生成された信号及び音声生成手段により生成された信号を処理する音声出力処理手段とをさらに備え、操作手段は、天気予報を聴くために押下操作される天気予報ボタンを有し、制御手段は、チューナによる放送信号の受信中に、フィルタにより分離されたデータ放送のデータの中から、メモリに記憶されている居住地域データが示す地域の天気予報データを抽出して、その天気予報データをメモリに記憶する天気予報データ取得手段と、操作手段の天気予報ボタンが押下操作されたとき、メモリに記憶されている天気予報データを音声生成手段に供給し、この天気予報データをスピーカで音声出力するための信号を音声生成手段によって生成することにより、天気予報をスピーカから音声出力する天気予報音声出力手段と、天気予報を音声出力しているとき、映像デコーダ、データ放送ブラウザ、及び映像出力処理手段を制御して、テレビ放送の映像を天気予報を音声出力する以前と同様にディスプレイに表示する表示制御手段と、天気予報を音声出力しているとき、音声デコーダ、音声生成手段、及び音声出力処理手段を制御して、テレビ放送の音声の音量を天気予報を音声出力する以前の音量よりも小さくしてスピーカから出力する音声出力制御手段とを有するものである。
【０００８】
請求項２の発明は、放送局から配信される放送信号を受信するチューナと、チューナにより受信した放送信号に含まれるテレビ放送の映像信号を基に、テレビ放送による映像をディスプレイで表示するための信号を生成する映像デコーダと、チューナにより受信した放送信号に含まれるテレビ放送の音声信号を基に、テレビ放送による音声をスピーカで出力するための信号を生成する音声デコーダと、本装置の動作を指示するためにユーザにより操作される操作手段と、本装置の動作を制御する制御手段とを備えるテレビ放送受信装置において、天気予報をディスプレイに表示するためのデータとして配信される天気予報データを取得する天気予報データ取得手段と、天気予報データ取得手段により取得した天気予報データを基に、該天気予報データによる天気予報をスピーカで音声出力するための信号を生成する音声生成手段とをさらに備え、操作手段は、天気予報を聴くために操作される天気予報ボタンを有し、制御手段は、操作手段の天気予報ボタンが操作されたとき、天気予報データ取得手段により取得した天気予報データをスピーカで音声出力するための信号を音声生成手段によって生成することにより、天気予報をスピーカから音声出力するものである。
【０００９】
請求項３の発明は、請求項２に記載のテレビ放送受信装置において、テレビ放送による音声と天気予報データによる天気予報の音声を選択的に又は合成してスピーカから出力するために、音声デコーダにより生成された信号及び音声生成手段により生成された信号を処理する音声出力処理手段をさらに備え、制御手段は、天気予報を音声出力しているとき、音声デコーダ、音声生成手段、及び音声出力処理手段を制御して、テレビ放送の音声の音量を天気予報を音声出力する以前の音量よりも小さくしてスピーカから出力するものである。
【発明の効果】
【００１０】
請求項１の発明によれば、天気予報ボタンを押下するとデータ放送の天気予報がスピーカから音声出力されるため、データ放送の天気予報を、天気予報ボタンを押下するだけの簡単な操作によって、しかも音声によって知ることができる。また、天気予報を音声出力しているときにもテレビ放送の映像が表示されると共にテレビ放送の音声が出力されるため、テレビ放送のコンテンツを視聴しつつ天気予報を知ることができる。また、天気予報が音声で出力されるため、視覚障害を持つ人でも天気予報を知ることができる。さらに、天気予報を音声出力しているときにテレビ放送の音声が小さくなるため、天気予報を容易に聴き取ることができる。
【００１１】
請求項２の発明によれば、天気予報ボタンを操作するとデータ放送の天気予報がスピーカから音声出力されるため、データ放送の天気予報を、簡単な操作によって、しかも音声によって知ることができる。また、天気予報が音声で出力されるため、視覚障害を持つ人でも天気予報を知ることができる。
【００１２】
請求項３の発明によれば、天気予報を音声出力しているときにテレビ放送の音声が小さくなるため、天気予報を容易に聴き取ることができる。
【発明を実施するための最良の形態】
【００１３】
以下、本発明を具体化した実施形態によるテレビ放送受信装置について図面を参照して説明する。図１は、テレビ放送受信装置の概略構成を示す。テレビ放送受信装置１は、放送局から配信される地上波デジタル放送信号を本装置１に接続されるアンテナ２を介して受信して、テレビ放送による映像及び音声を本装置１に接続されるディスプレイ３及びスピーカ４で再生するための装置である。また、このテレビ放送受信装置１は、地上波デジタル放送信号に含まれるデータ放送のデータを基に、データ放送によるデータコンテンツをディスプレイ３及びスピーカ４で再生できるようになっている。
【００１４】
テレビ放送受信装置１は、テレビ放送受信装置１を制御するためのＣＰＵ等からなる制御部１１と、チューナ１２と、フィルタ１３と、映像デコーダ１４と、音声デコーダ１５と、データ放送ブラウザ１６と、映像出力処理部１７と、データ放送音声生成部１８と、音声出力処理部１９と、信号出力端子２０と、操作手段であるリモコン２１と、リモコン受信部２２と、メモリ２３とを備えている。
【００１５】
チューナ１２は、制御部１１による制御のもと、地上波デジタル放送信号をアンテナ２を介して受信する。地上波デジタル放送信号には、テレビ放送の映像信号及びテレビ放送の音声信号に加え、データ放送のデータが含まれている。データ放送は、データコンテンツをディスプレイ３に表示するために配信されるものであり、データ放送により配信されるデータコンテンツには、例えば、天気予報やニュースなどがある。データ放送のデータは、データコンテンツの内容を示す文字データを含んでいる。
【００１６】
フィルタ１３は、制御部１１による制御のもと、チューナ１２により受信した地上波デジタル放送信号を処理して、受信した地上波デジタル放送信号からテレビ放送の映像信号、テレビ放送の音声信号、及びデータ放送のデータを分離する。
【００１７】
映像デコーダ１４は、制御部１１による制御のもと、フィルタ１３により分離されたテレビ放送の映像信号を処理して、テレビ放送による映像をディスプレイ３で表示するための信号を生成する。音声デコーダ１５は、制御部１１による制御のもと、フィルタ１３により分離されたテレビ放送の音声信号を処理して、テレビ放送による音声をスピーカ４で出力するための信号を生成する。
【００１８】
データ放送ブラウザ１６は、制御部１１による制御のもと、制御部１１から供給されるデータ放送のデータ（すなわちフィルタ１３により分離されたデータ放送のデータ）を基に、データ放送によるデータコンテンツをディスプレイ３で表示するための信号を生成する。
【００１９】
映像出力処理部１７は、制御部１１による制御のもと、テレビ放送による映像とデータ放送によるデータコンテンツの映像を選択的に又は合成してディスプレイ３で表示するために、映像デコーダ１４により生成された信号及びデータ放送ブラウザ１６により生成された信号を処理する。映像出力処理部１７により処理された信号は、信号出力端子２０を介してディスプレイ３に出力され、これにより、テレビ放送による映像とデータ放送によるデータコンテンツが選択的に又は合成されてディスプレイ３に表示される。
【００２０】
また、映像出力処理部１７は、制御部１１による制御のもと、テレビ放送受信装置１の各種設定を行うための設定メニュー画像や、データ放送によるデータコンテンツを選択するためのデータ放送メニュー画像等、各種画像をディスプレイ３で表示するための信号を生成する。映像出力処理部１７により生成された信号は、信号出力端子２０を介してディスプレイ３に出力され、これにより、設定メニュー画面やデータ放送メニュー画面等の各種画像がディスプレイ３に表示される。
【００２１】
データ放送音声生成部１８は、制御部１１による制御のもと、制御部１１から供給されるデータ放送のデータ（すなわちフィルタ１３により分離されたデータ放送のデータ）を基に、そのデータ放送によるデータコンテンツをスピーカ４で音声出力するための信号を生成する。データ放送のデータは、上述のようにデータコンテンツの内容を示す文字データを含んでおり、データ放送音声生成部１８は、データ放送のデータを処理して、データ放送のデータに含まれる文字データを音声データに変換することにより、データ放送によるデータコンテンツをスピーカ４で音声出力するための信号を生成する。
【００２２】
音声出力処理部１９は、制御部１１による制御のもと、テレビ放送による音声とデータ放送によるデータコンテンツの音声を選択的に又は合成してスピーカ４から出力するために、音声デコーダ１５により生成された信号及びデータ放送音声生成部１８により生成された信号を処理する。音声出力処理部１９により処理された信号は、信号出力端子２０を介してスピーカ４に出力され、これにより、テレビ放送による音声とデータ放送によるデータコンテンツの音声が選択的に又は合成されてスピーカ４から出力される。
【００２３】
リモコン２１は、テレビ放送の番組の選局、データ放送によるデータコンテンツの選択、ユーザの居住地域の設定等、テレビ放送受信装置１の各種動作を指示するためにユーザにより操作されるものである。リモコン２１は、後述する各種操作ボタンを備えており、各種操作ボタンが操作されることにより、その操作に対応付けられた赤外線コード信号を送出する。リモコン受信部２２は、リモコン２１から送出された赤外線コード信号を受光して電気信号に変換し、リモコン２１の操作に対応する信号を制御部１１へ出力する。メモリ２３は、制御部１１による制御のもと、ユーザの居住地域を示す居住地域データ、フィルタ１３により分離されたデータ放送のデータ等を記憶する。
【００２４】
図２は、上記リモコン２１の構成を示す。リモコン２１は、テレビ放送受信装置１の各種動作を指示するためにユーザに押下操作される操作ボタンとして、電源ボタン３１、数字ボタン３２、メニューボタン３３、データボタン３４、天気予報ボタン３５、カーソルボタン３６ａ〜３６ｄ、及び決定ボタン３７等を備え、また、これらの操作ボタンの操作に応じて赤外線コード信号を送出する投光部３８を備えている。
【００２５】
電源ボタン３１は、テレビ放送受信装置１の電源をオン／オフするためのボタンである。数字ボタン３２は、数値を選択するためのボタンであり、テレビ放送の番組の選局等に利用される。メニューボタン３３は、テレビ放送受信装置１の各種設定を行うための設定メニュー画面をディスプレイ３に表示するためのボタンである。
【００２６】
データボタン３４は、データ放送によるデータコンテンツを選択するためのデータ放送メニュー画面（例えば視聴可能なデータコンテンツの一覧等から成る画面）をディスプレイ３に表示するためのボタンである。天気予報ボタン３５は、データ放送によるデータコンテンツの中から天気予報のコンテンツを聴く（すなわち天気予報のコンテンツをスピーカ４から音声出力する）ためのボタンである。
【００２７】
カーソルボタン３６ａ〜３６ｄは、設定メニュー画面やデータ放送メニュー画面上に表示されるカーソルを移動させて項目を選択するためのボタンであり、決定ボタン３７は、カーソルボタン３６ａ〜３６ｄによる項目の選択を決定するためのボタンである。リモコン２１は、これらの操作ボタンの操作に応じて、その操作に対応付けられた赤外線コード信号を投光部３８から送出する。上記制御部１１は、これらリモコン２１の各操作ボタンの操作を受けて、テレビ放送受信装置１の動作を制御する。
【００２８】
図３は、上記テレビ放送受信装置１の動作フローチャートを示す。まず、リモコン２１によりテレビ放送の番組選局操作がなされると（＃１でＹＥＳ）、制御部１１は、チューナ１２によって、その番組の地上波デジタル放送信号を受信する（＃２）。
【００２９】
このとき、受信された地上波デジタル放送信号に含まれるテレビ放送の映像信号及びテレビ放送の音声信号は、フィルタ１３によって分離されて映像デコーダ１４及び音声デコーダ１５に供給され、制御部１１は、映像デコーダ１４によって、テレビ放送による映像をディスプレイ３で表示するための信号を生成すると共に、音声デコーダ１５によって、テレビ放送による音声をスピーカ４で出力するための信号を生成する。そして、制御部１１は、映像デコーダ１４によって生成した信号を映像出力処理部１７及び信号出力端子２０を介してディスプレイ３に出力すると共に、音声デコーダ１５によって生成した信号を音声出力処理部１９及び信号出力端子２０を介してスピーカ４に出力する。これにより、テレビ放送による映像及び音声がディスプレイ３及びスピーカ４で再生される。
【００３０】
続いて、地上波デジタル放送信号の受信中（すなわちテレビ放送の映像及び音声の再生中）に地上波デジタル放送信号に含まれるデータ放送のデータを受信すると（＃３でＹＥＳ）、制御部１１は、そのデータ放送のデータをフィルタ１３によって分離し、そのデータ放送のデータの中から、予め設定されているユーザの居住地域（メモリ２３に記憶されている居住地域データが示す地域）の天気予報データを抽出して、その天気予報データをメモリ２３に記憶する（＃４）。これにより、天気予報データが取得される。また、制御部１１は、天気予報データに加え、他のデータコンテンツのデータもメモリ２３に記憶する。なお、ユーザの居住地域の設定は、リモコン２１を操作して電話番号を入力することにより、その電話番号を基にユーザの居住地域を示すデータがメモリ２３に記憶されることによって行われる。
【００３１】
そして、リモコン２１の天気予報ボタン３５が押下されると（＃５でＹＥＳ）、制御部１１は、メモリ２３に記憶されている天気予報データを基に、データ放送の天気予報をスピーカ４から音声出力する（＃６）。すなわち、制御部１１は、メモリ２３に記憶されている天気予報データをデータ放送音声生成部１８に供給し、この天気予報データに含まれる文字データをデータ放送音声生成部１８によって音声データに変換して、この天気予報データをスピーカ４で音声出力するための信号を生成する。そして、制御部１１は、データ放送音声生成部１８によって生成した信号を、音声出力処理部１９及び信号出力端子２０を介してスピーカ４に出力する。これにより、データ放送の天気予報（天気、降水確率など）がスピーカ４から音声出力される。
【００３２】
このとき、制御部１１は、映像デコーダ１４、データ放送ブラウザ１６、及び映像出力処理部１７を制御して、テレビ放送の映像を、データ放送の天気予報を音声出力する以前と同様にディスプレイ３に表示する。また、制御部１１は、音声デコーダ１５、データ放送音声生成部１８、及び音声出力処理部１９を制御して、テレビ放送の音声の音量を、データ放送の天気予報を音声出力する以前の音量よりも小さくしてスピーカ４から出力する。天気予報の音声出力が完了すると、制御部１１は、テレビ放送の音声の音量を、天気予報を音声出力する以前と同じ音量に戻す。
【００３３】
なお、リモコン２１のデータボタン３４が押下された場合には、制御部１１は、映像出力処理部１７を制御して、データ放送メニュー画面（例えば視聴可能なデータコンテンツ（天気予報、ニュース、・・・）の一覧等から成る画面）をディスプレイ３に表示する。そして、リモコン２１のカーソルボタン３６ａ〜３６ｄの操作及び決定ボタン３７の押下により、データ放送メニュー画面の中からデータコンテンツが選択されると、メモリ２３に記憶されている該当のデータコンテンツのデータをデータ放送ブラウザ１６に供給することで、データ放送によるデータコンテンツをディスプレイ３に表示する。このとき、制御部１１は、映像デコーダ１４、データ放送ブラウザ１６、及び映像出力処理部１７を制御して、データコンテンツとテレビ放送の映像を並べてディスプレイ３に表示し、また、音声デコーダ１５、データ放送音声生成部１８、及び音声出力処理部１９を制御して、テレビ放送の音声を、データコンテンツを表示する以前と同じ音量でスピーカ４から出力する。
【００３４】
このような構成のテレビ放送受信装置１によれば、リモコン２１の天気予報ボタン３５を押下するとデータ放送の天気予報がスピーカ４から音声出力されるため、データ放送の天気予報を、天気予報ボタン３５を押下するだけの簡単な操作によって、しかも音声によって知ることができる。また、天気予報を音声出力しているときにもテレビ放送の映像がディスプレイ３に表示されると共にテレビ放送の音声がスピーカ４から出力されるため、テレビ放送のコンテンツを視聴しつつ天気予報を知ることができる。また、天気予報が音声で出力されるため、視覚障害を持つ人でも天気予報を知ることができる。さらに、天気予報を音声出力しているときにテレビ放送の音声が小さくなるため、天気予報を容易に聴き取ることができる。
【００３５】
なお、本発明は、上記各実施形態の構成に限られず、種々の変形が可能である。例えば、テレビ放送受信装置１がイーサネットに接続できる構成の場合には、地上波デジタル放送信号に含まれるデータ放送のデータから天気予報データを取得することに代えて、インターネット経由で天気予報データを取得するようにしてもよい。また、天気予報ボタン３５の押下によりデータ放送の天気予報を音声出力するとき、テレビ放送の音声を消してもよく、データ放送の天気予報を表示してもよい。
【００３６】
また、データ放送メニュー画面からデータコンテンツを選択してデータ放送のデータコンテンツを表示するとき、データ放送のデータコンテンツを音声出力してもよい。データ放送の天気予報以外のデータコンテンツの音声出力は、データ放送の天気予報を音声出力するときと同様に、データコンテンツのデータに含まれる文字データをデータ放送音声生成部１８によって音声データに変換すればよい。さらに、データ放送メニュー画面からデータコンテンツを選択したとき、データ放送のデータコンテンツをディスプレイ３に表示せずにスピーカ４から音声出力するようにしてもよい。このようにすれば、データ放送ブラウザ１６を不要にすることが可能となり、コストダウンを図ることができる。
【図面の簡単な説明】
【００３７】
【図１】本発明の一実施形態に係るテレビ放送受信装置の概略構成を示す電気的ブロック構成図。
【図２】同テレビ放送受信装置のリモコンの構成を示す平面図。
【図３】同テレビ放送受信装置の動作を示すフローチャート。
【図４】従来のテレビ放送受信装置の動作を示すフローチャート。
【符号の説明】
【００３８】
１    テレビ放送受信装置
３    ディスプレイ
４    スピーカ
１１    制御部
１２    チューナ
１３    フィルタ
１４    映像デコーダ
１５    音声デコーダ
１６    データ放送ブラウザ
１７    映像出力処理部
１８    データ放送音声出力部
１９    音声出力処理部
２０    信号出力端子
２１    リモコン
２２    リモコン受信部
２３    メモリ
３１    電源ボタン
３２    数字ボタン
３３    メニューボタン
３４    データボタン
３５    天気予報ボタン
３６ａ〜３６ｄ    カーソルボタン
３７    決定ボタン
３８    投光部
【図１】
2007324750.tif 000003
【図２】
2007324750.tif 000004
【図３】
2007324750.tif 000005
【図４】
2007324750.tif 000006